(57)【要約】【課題】力率改善回路における電力損失を抑えつつ、電源回路が、幅広い電圧範囲の交流電源に対応できるようにする。【解決手段】力率改善回路１２０は、入力した入力電圧から直流電圧（生成電圧）を生成するとともに、入力する入力電流の波形を制御して、入力の力率を高める。生成電圧設定回路１４０は、力率改善回路１２０が入力する入力電圧の電圧値（ピーク値Ｖ１）に基づいて、上記力率改善回路１２０が生成する直流電圧の電圧値Ｖ２を設定する。【選択図】図１
2011091900.tif 000002
【特許請求の範囲】
【請求項１】
力率改善回路と、生成電圧設定回路とを有し、
上記力率改善回路は、入力した入力電圧から直流電圧を生成するとともに、入力する入力電流の波形を制御して、入力の力率を高め、
上記生成電圧設定回路は、上記力率改善回路が入力する入力電圧の電圧値に基づいて、上記力率改善回路が生成する直流電圧の電圧値を設定することを特徴とする電源回路。
【請求項２】
上記生成電圧設定回路は、上記力率改善回路が生成する直流電圧の電圧値として、上記力率改善回路が入力する入力電圧のピーク値よりも高い電圧を設定することを特徴とする請求項１に記載の電源回路。
【請求項３】
上記生成電圧設定回路は、上記力率改善回路が生成する直流電圧の電圧値として、上記力率改善回路が入力する入力電圧のピーク値に比例する電圧を設定することを特徴とする請求項１または請求項２に記載の電源回路。
【請求項４】
上記生成電圧設定回路は、入力電圧検出回路と、生成電圧検出回路と、制御信号生成回路とを有し、
上記入力電圧検出回路は、上記力率改善回路が入力する入力電圧の電圧値を検出し、
上記生成電圧検出回路は、上記力率改善回路が生成した直流電圧の電圧値を検出し、
上記制御信号生成回路は、上記入力電圧検出回路が検出した電圧値と上記生成電圧検出回路が検出した電圧値とに基づいて、上記力率改善回路が生成する直流電圧の電圧値を上げるか下げるかを指示する制御信号を生成し、
上記力率改善回路は、上記制御信号生成回路が生成した制御信号にしたがって、生成する直流電圧の電圧値を調整することを特徴とする請求項１乃至請求項３のいずれかに記載の電源回路。
【請求項５】
上記入力電圧検出回路は、上記力率改善回路が入力する入力電圧の電圧値に基づく入力検出電圧を生成し、
上記生成電圧検出回路は、上記力率改善回路が生成した直流電圧の電圧値に基づく生成検出電圧を生成し、
上記制御信号生成回路は、上記入力電圧検出回路が生成した入力検出電圧と上記生成電圧検出回路が生成した生成検出電圧とが同じ電圧になるよう上記力率改善回路を制御する制御信号を生成することを特徴とする請求項４に記載の電源回路。
【請求項６】
上記入力電圧検出回路は、入力分圧回路と、コンデンサと、整流素子とを有し、
上記入力分圧回路は、上記力率改善回路が入力する入力電圧を分圧して入力分圧電圧を生成し、
上記コンデンサは、上記整流素子を介して、上記入力分圧回路が生成した入力分圧電圧により充電され、
上記整流素子は、上記入力分圧回路が生成した入力分圧電圧よりも上記コンデンサに充電された充電電圧が低い場合に導通し、
上記入力電圧検出回路は、上記コンデンサに充電された充電電圧を、上記力率改善回路が入力する入力電圧の電圧値に基づく入力検出電圧とすることを特徴とする請求項４または請求項５に記載の電源回路。
【請求項７】
上記生成電圧検出回路は、生成分圧回路を有し、
上記生成分圧回路は、上記力率改善回路が生成した直流電圧を分圧して生成分圧電圧を生成し、
上記生成電圧検出回路は、上記生成分圧回路が生成した生成分圧電圧を、上記力率改善回路が生成した直流電圧の電圧値に基づく生成検出電圧とすることを特徴とする請求項４乃至請求項６のいずれかに記載の電源回路。
【請求項８】
上記生成電圧検出回路は、２つの分圧抵抗と、定電圧ダイオードとを有し、
上記２つの分圧抵抗は、互いに直列に電気接続し、上記力率改善回路の出力に電気接続し、
上記定電圧ダイオードは、上記２つの分圧抵抗のうち第一の分圧抵抗と並列に電気接続し、
上記生成電圧検出回路は、上記２つの分圧抵抗のうち第二の分圧抵抗の両端に発生した電圧を、上記力率改善回路が生成した直流電圧の電圧値に基づく生成検出電圧とすることを特徴とする請求項４乃至請求項７のいずれかに記載の電源回路。
【請求項９】
上記電源回路は、更に、整流回路と、電力変換回路とを有し、
上記整流回路は、入力した交流電圧を整流して脈流電圧を生成し、
上記力率改善回路は、上記入力電圧として、上記整流回路が生成した脈流電圧を入力し、
上記電力変換回路は、上記力率改善回路が生成した直流電圧を降圧して、負荷回路に印加する負荷電圧を生成することを特徴とする請求項１乃至請求項８のいずれかに記載の電源回路。
【請求項１０】
請求項１乃至請求項９のいずれかに記載の電源回路と、光源回路とを有し、
上記光源回路は、上記電源回路に対する負荷回路として上記電源回路に接続され、上記電源回路が生成した電圧により点灯する発光素子を有することを特徴とする照明装置。
【発明の詳細な説明】
【技術分野】
【０００１】
この発明は、電源回路およびそれを用いた照明装置に関する。
【背景技術】
【０００２】
商用電源などの交流電源から供給された電力を、発光ダイオード（以下「ＬＥＤ」と呼ぶ。）や有機エレクトロルミネッセンス（以下「有機ＥＬ」と呼ぶ。）などの光源を点灯するための直流に変換する電源回路において、力率改善回路と電力変換回路とを組み合わせた構成が知られている。
力率改善回路は、商用電源の電源歪みなどを抑制するため、入力の力率を１に近づけるための回路であり、例えば昇圧コンバータ回路などが用いられる。
電力変換回路は、光源に印加する電圧を調整することにより光源を流れる電流を所定の目標値に保つよう動作する定電流駆動回路回路であり、例えばフライバックコンバータ回路や直流直流変換回路（ＤＣ／ＤＣコンバータ回路）などの方式が用いられる。通常、ＬＥＤや有機ＥＬなどの光源を駆動する電圧は、力率改善回路が出力する出力電圧より低いので、電力変換回路には、入力した電圧よりも低い電圧を出力する降圧型の回路が用いられる。
商用電源の電源電圧には、様々な種類のものがあるため、電源回路は、幅広い電圧範囲の交流電源に対応できることが望ましい。
【先行技術文献】
【特許文献】
【０００３】
【特許文献１】特開２００９−８０９８３号公報
【発明の概要】
【発明が解決しようとする課題】
【０００４】
力率改善回路として、昇圧コンバータ回路など昇圧型の回路を用いる場合、力率改善回路が生成する電圧は、力率改善回路に入力する電圧より高くなる。このため、電源回路が対応できる交流電源の電圧範囲内で最も大きい電圧の交流電源に接続した場合に力率改善回路に入力する電圧よりも高い電圧を、力率改善回路が生成する電圧として設定する必要がある。
一方、力率改善回路の昇圧比が大きいと、力率改善回路における電力損失が大きくなる。
【０００５】
この発明は、例えば上記のような課題を解決するためになされたものであり、力率改善回路における電力損失を抑えつつ、電源回路が、幅広い電圧範囲の交流電源に対応できるようにすることを目的とする。
【課題を解決するための手段】
【０００６】
この発明にかかる電源回路は、力率改善回路と、生成電圧設定回路とを有し、
上記力率改善回路は、入力した入力電圧から直流電圧を生成するとともに、入力する入力電流の波形を制御して、入力の力率を高め、
上記生成電圧設定回路は、上記力率改善回路が入力する入力電圧の電圧値に基づいて、上記力率改善回路が生成する直流電圧の電圧値を設定することを特徴とする。
【発明の効果】
【０００７】
この発明にかかる電源回路によれば、力率改善回路が入力する入力電圧の電圧値に基づいて、力率改善回路が生成する直流電圧の電圧値を変化させるので、電源回路が広い範囲の電源電圧に対応できるよう構成する場合でも、力率改善回路の昇圧比を低く抑えることができ、電力損失を抑えることができる。
【図面の簡単な説明】
【０００８】
【図１】実施の形態１における照明装置８００の全体構成の一例を示すシステム構成図。
【図２】実施の形態１における照明装置８００の具体的な回路構成の一例を示す電気回路図。
【図３】実施の形態１における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図。
【図４】実施の形態２における生成電圧検出回路１４２の具体的な回路構成の一例を示す電気回路図。
【図５】実施の形態２における生成電圧の電圧値Ｖ２と生成検出電圧ＶＤ２との関係、および、入力電圧のピーク値Ｖ１と生成電圧の電圧値Ｖ２との関係を示すグラフ図。
【図６】実施の形態３における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図。
【図７】実施の形態３における入力電圧検出回路１４１の具体的な回路構成の一例を示す電気回路図。
【図８】実施の形態３における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図。
【図９】実施の形態４における生成電圧検出回路１４２の具体的な回路構成の一例を示す電気回路図。
【図１０】実施の形態４における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図。
【図１１】実施の形態５における生成電圧設定回路１４０の具体的な回路構成の一例を示す図。
【発明を実施するための形態】
【０００９】
実施の形態１．
実施の形態１について、図１〜図３を用いて説明する。
【００１０】
図１は、この実施の形態における照明装置８００の全体構成の一例を示すシステム構成図である。
照明装置８００は、商用電源などの交流電源ＡＣから電力の供給を受けて、ＬＥＤや有機ＥＬなどの光源（発光素子）を点灯する。照明装置８００は、電源回路１００、光源回路８１０（負荷回路）を有する。
【００１１】
電源回路１００は、交流電源ＡＣから入力した交流を、光源回路８１０に供給する直流に変換する。光源回路８１０は、光源を有する。光源回路８１０は、電源回路１００が変換した直流により光源を点灯する。
【００１２】
電源回路１００は、整流回路１１０、力率改善回路１２０、電力変換回路１３０、生成電圧設定回路１４０を有する。
整流回路１１０は、交流電源ＡＣから交流（例えば５０Ｈｚ〜６０Ｈｚの単相交流、実効電圧８５Ｖ〜２６５Ｖ）を入力し、入力した交流を整流して脈流を生成する。
力率改善回路１２０は、整流回路１１０が生成した脈流を入力し、入力した脈流を昇圧して直流電圧（出力電圧）を生成するとともに、入力した脈流の電圧に近似した波形となるよう、入力電流を制御して、入力の力率を高める。
電力変換回路１３０は、力率改善回路１２０が生成した直流を入力し、入力した直流を降圧して、光源回路８１０に印加する直流を生成する。電力変換回路１３０は、光源回路８１０を流れる電流の電流値を検出し、検出した電流値が所定の目標値に一致するよう、生成する直流の電圧値を調整する。これにより、電源回路１００は、光源回路８１０を定電流駆動する。
生成電圧設定回路１４０は、力率改善回路１２０が入力する脈流の電圧値に基づいて、力率改善回路１２０が生成する直流の電圧値を設定する。生成電圧設定回路１４０は、力率改善回路１２０が生成した直流の電圧値を検出し、力率改善回路１２０が生成した電圧値があらかじめ設定した電圧値になるように、力率改善回路１２０を制御する。
【００１３】
図２は、この実施の形態における照明装置８００の具体的な回路構成の一例を示す電気回路図である。
【００１４】
光源回路８１０は、光源として、例えば、互いに直列に電気接続された複数のＬＥＤ（発光素子）を有する。光源回路８１０が電源回路１００によって定電流駆動されることにより、ＬＥＤが所望の明るさで点灯する。
【００１５】
整流回路１１０は、例えばダイオードブリッジＤＢ１１、コンデンサＣ１２を有する。ダイオードブリッジＤＢ１１は、４つの整流素子をブリッジ接続したものであり、交流電源ＡＣから入力した交流電圧を全波整流して脈流電圧を生成する。コンデンサＣ１２は、比較的容量の小さいコンデンサであり、高周波ノイズをカットする。
【００１６】
力率改善回路１２０は、例えば昇圧コンバータ回路（「ＰＦＣ回路」とも呼ばれる。）である。昇圧コンバータ回路は、例えばトランスＴ２１、スイッチング素子Ｑ２２、整流素子Ｄ２３、平滑コンデンサＣ２４、２つの分圧抵抗Ｒ２５・Ｒ２６、制御ＩＣ１２７により構成される昇圧コンバータ回路である。この図では、スイッチング素子Ｑ２２として電界効果トランジスタ（以下「ＦＥＴ」と呼ぶ。）の記号を用いているが、スイッチング素子Ｑ２２は、ＦＥＴに限らず、バイポーラトランジスタなど他の電気的スイッチであってもよいし、機械式など他の機構によるスイッチであってもよい。制御ＩＣ１２７がスイッチング素子Ｑ２２を高周波（例えば数十ｋＨｚ〜数百ｋＨｚ）でオンオフすることにより、トランスＴ２１の一次巻線にエネルギーを蓄積し、蓄積したエネルギーで平滑コンデンサＣ２４を充電する。これにより、平滑コンデンサＣ２４には、力率改善回路１２０が入力した脈流電圧（以下「入力電圧」と呼ぶ。）のピーク値Ｖ１よりも高い電圧が充電される。力率改善回路１２０は、平滑コンデンサＣ２４に充電された電圧を、生成電圧として出力する。
２つの分圧抵抗Ｒ２５・Ｒ２６は、入力電圧の電圧値を検出する。トランスＴ２１の二次巻線（補助巻線）は、トランスＴ２１の一次巻線（主巻線）を流れる電流の電流値を検出する。制御ＩＣ１２７は、これらの検出結果に基づいて、スイッチング素子Ｑ２２をオンオフするタイミングを調整することにより、力率改善回路１２０が入力する電流の波形を、入力電圧の波形に近似した波形にする。これにより、電源回路１００の力率を１に近づける。
また、制御ＩＣ１２７には、制御信号を入力する。制御信号は、力率改善回路１２０が生成する生成電圧の電圧値を上げるか下げるかの指示を表わすものであり、生成電圧設定回路１４０が生成する。制御ＩＣ１２７は、入力した制御信号にしたがって、スイッチング素子Ｑ２２をオンオフするデューティ比などを調整することにより、力率改善回路１２０が生成する生成電圧の電圧値を調整する。
【００１７】
電力変換回路１３０は、例えば降圧コンバータ回路（降圧型ＤＣ／ＤＣコンバータ）を有する。降圧コンバータ回路は、例えばスイッチング素子Ｑ３１、整流素子Ｄ３２（還流ダイオード）、チョークコイルＬ３３、平滑コンデンサＣ３４、制御ＩＣ１３９により構成される。また、電力変換回路１３０は、帰還回路を有する。帰還回路は、例えば電流検出抵抗Ｒ３５、基準電圧源Ｖ３６、誤差増幅器Ａ３７、フォトカプラＰＣ３８により構成される。スイッチング素子Ｑ３１は、スイッチング素子Ｑ２２と同様、ＦＥＴに限らず、バイポーラトランジスタなどの電気的スイッチや他の機構によるスイッチであってもよい。制御ＩＣ１３９は、スイッチング素子Ｑ３１を高周波（例えば数十ｋＨｚ〜数百ｋＨｚ）でオンオフすることにより、平滑コンデンサＣ３４を充電する。これにより、平滑コンデンサＣ３４には、電力変換回路１３０が入力した電圧（すなわち、力率改善回路１２０が生成した直流電圧）よりも低い電圧が充電される。電力変換回路１３０は、平滑コンデンサＣ３４に負荷電圧を充電する。、平滑コンデンサＣ３４に充電される負荷電圧は、光源回路８１０に目標値の電流を流すために必要な電圧と、電流検出抵抗Ｒ３５における電圧降下とを合計した電圧である。
電流検出抵抗Ｒ３５は、光源回路８１０と直列に電気接続されていて、光源回路８１０を流れる電流と同じ電流が流れる。基準電圧源Ｖ３６は、基準電圧を生成する。基準電圧源Ｖ３６が生成する基準電圧は、光源回路８１０を流れる電流の目標値と一致する電流が電流検出抵抗Ｒ３５を流れたときに電流検出抵抗Ｒ３５の両端に発生する電圧である。例えば、電流検出抵抗Ｒ３５の抵抗値が１０Ω、光源回路８１０を流れる電流の目標値が５００ｍＡであれば、基準電圧の電圧値は、５Ｖである。誤差増幅器Ａ３７（エラーアンプ）は、電流検出抵抗Ｒ３５の両端に発生した電圧と基準電圧源Ｖ３６の基準電圧とを比較して、比較した結果を表わす制御信号を出力する。誤差増幅器Ａ３７が出力した制御信号にしたがって制御ＩＣ１３９が動作することにより、電力変換回路１３０は、電流検出抵抗Ｒ３５の両端に発生した電圧と基準電圧源Ｖ３６が生成した基準電圧とが一致するよう動作する。
誤差増幅器Ａ３７が出力した制御信号は、フォトカプラＰＣ３８により電気的に絶縁されて、制御ＩＣ１３９に伝えられる。制御ＩＣ１３９は、誤差増幅器Ａ３７による比較結果に基づいて、スイッチング素子Ｑ３１をオンオフするデューティ比などを調整することにより、光源回路８１０を流れる電流が目標値となるよう、電力変換回路１３０が生成する負荷電圧を調整する。これにより、電力変換回路１３０は、光源回路８１０に目標値の電流を流す定電流駆動回路として動作する。
例えばＬＥＤの周囲温度などの条件によりＬＥＤの順方向降下電圧が変化するため、光源回路８１０に印加すべき負荷電圧は変化する。電力変換回路１３０は、光源回路８１０を流れる電流をフィードバックして、負荷電圧を調整するので、一定の電流が光源回路８１０を流れる。
【００１８】
生成電圧設定回路１４０は、入力電圧検出回路１４１、生成電圧検出回路１４２、制御信号生成回路１４３を有する。
【００１９】
入力電圧検出回路１４１は、力率改善回路１２０が入力する入力電圧を検出する。入力電圧検出回路１４１は、例えば、２つの分圧抵抗Ｒ５１・Ｒ５２、整流素子Ｄ５３、コンデンサＣ５４を有する。２つの分圧抵抗Ｒ５１・Ｒ５２は、互いに直列に電気接続し、力率改善回路１２０の入力に電気接続している。整流素子Ｄ５３のアノード端子は、分圧抵抗Ｒ５１と分圧抵抗Ｒ５２との接続点に電気接続している。コンデンサＣ５４は、整流素子Ｄ５３のカソード端子と分圧抵抗Ｒ５２の他端との間に電気接続している。２つの分圧抵抗Ｒ５１・Ｒ５２（入力分圧回路）は、入力電圧を分圧して、入力電圧に比例する電圧（以下「入力分圧電圧」と呼ぶ。）を生成する。コンデンサＣ５４は、整流素子Ｄ５３を介して、２つの分圧抵抗Ｒ５１・Ｒ５２が生成した入力分圧電圧により充電される。これにより、コンデンサＣ５４には、入力分圧電圧のピーク値にほぼ等しい電圧が充電される。入力電圧検出回路１４１は、コンデンサＣ５４に充電された電圧を、入力検出電圧ＶＤ１として出力する。
【数１１】
2011091900.tif 000003
ただし、Ｒ１は分圧抵抗Ｒ５１の抵抗値、Ｒ２は分圧抵抗Ｒ５２の抵抗値、Ｖ１は、入力電圧のピーク値、αは分圧比である。なお、整流素子Ｄ５３の順方向降下電圧は、十分小さいものとして無視している。
例えば、分圧抵抗Ｒ５１の抵抗値Ｒ１が６８０ｋΩ、分圧抵抗Ｒ５２の抵抗値Ｒ２が１０ｋΩである場合、分圧比αは、１／６９≒０．０１４５である。交流電源ＡＣから入力する交流電圧の実効値が１００Ｖであれば、入力電圧のピーク値Ｖ１は約１４１Ｖなので、入力検出電圧ＶＤ１は約２．０５Ｖとなる。また、交流電源ＡＣから入力する交流電圧の実効値が２４０Ｖであれば、入力電圧のピーク値Ｖ１は約３３９Ｖなので、入力検出電圧ＶＤ１は約４．９２Ｖとなる。
【００２０】
生成電圧検出回路１４２は、力率改善回路１２０が生成した生成電圧を検出する。生成電圧検出回路１４２は、例えば、２つの分圧抵抗Ｒ６１・Ｒ６２を有する。２つの分圧抵抗Ｒ６１・Ｒ６２は、互いに直列に電気接続し、力率改善回路１２０の出力に電気接続している。２つの分圧抵抗Ｒ６１・Ｒ６２（生成分圧回路）は、生成電圧を分圧して、生成電圧に比例する電圧（以下「生成分圧電圧」と呼ぶ。）を生成する。生成電圧検出回路１４２は、生成した生成分圧電圧を、生成検出電圧ＶＤ２として出力する。
【数１２】
2011091900.tif 000004
ただし、Ｒ３は分圧抵抗Ｒ６１の抵抗値、Ｒ４は分圧抵抗Ｒ６２の抵抗値、Ｖ２は、生成電圧の電圧値、βは分圧比である。
例えば、分圧抵抗Ｒ６１の抵抗値Ｒ３が７２ｋΩ、分圧抵抗Ｒ６２の抵抗値Ｒ４が１ｋΩである場合、分圧比βは、１／７３≒０．０１３７である。生成電圧の電圧値Ｖ２が１４０Ｖであれば、生成検出電圧ＶＤ２は約１．９２Ｖとなる。また、生成電圧の電圧値Ｖ２が４００Ｖであれば、生成検出電圧ＶＤ２は約５．４８Ｖとなる。
【００２１】
制御信号生成回路１４３は、入力電圧検出回路１４１が出力した入力検出電圧ＶＤ１と、生成電圧検出回路１４２が出力した生成検出電圧ＶＤ２とを比較して、比較した結果を表わす制御信号を出力する。制御信号生成回路１４３が出力した制御信号にしたがって力率改善回路１２０が動作することにより、力率改善回路１２０は、入力電圧検出回路１４１が出力した入力検出電圧ＶＤ１と、生成電圧検出回路１４２が出力した生成検出電圧ＶＤ２とが一致するよう動作する。これにより、力率改善回路１２０は、入力電圧検出回路１４１が入力した入力電圧に基づいて設定される設定値の電圧を生成する。
制御信号生成回路１４３は、例えば、誤差増幅器Ａ７１（エラーアンプ）を有する。誤差増幅器Ａ７１は、入力電圧検出回路１４１が出力した入力検出電圧ＶＤ１と、生成電圧検出回路１４２が出力した生成検出電圧ＶＤ２とを比較して、いずれか大きいかを表わす制御信号を生成する。誤差増幅器Ａ７１が生成した制御信号にしたがって制御ＩＣ１２７が動作することにより、力率改善回路１２０は、入力電圧検出回路１４１が出力した入力検出電圧ＶＤ１と、生成電圧検出回路１４２が出力した生成検出電圧ＶＤ２とが一致するよう動作する。
【００２２】
入力検出電圧ＶＤ１が生成検出電圧ＶＤ２より大きい場合、制御信号生成回路１４３が生成する制御信号は、力率改善回路１２０が生成する生成電圧の電圧値Ｖ２を上げる指示を表わす。入力検出電圧ＶＤ１が生成検出電圧ＶＤ２より小さい場合、制御信号生成回路１４３が生成する制御信号は、力率改善回路１２０が生成する生成電圧の電圧値Ｖ２を下げる指示を表わす。
制御信号生成回路１４３が生成した制御信号にしたがって、力率改善回路１２０が生成する生成電圧の電圧値Ｖ２を制御ＩＣ１２７が調整するので、その結果として、入力検出電圧ＶＤ１と生成検出電圧ＶＤ２とが一致する。これにより、入力電圧のピーク値Ｖ１と生成電圧の電圧値Ｖ２との間には、以下の関係が成り立つ。
【数１３】
2011091900.tif 000005
例えば、入力電圧検出回路１４１の分圧比αが１／６９、生成電圧検出回路１４２の分圧比βが１／７３の場合、生成電圧の電圧値Ｖ２は、入力電圧のピーク値Ｖ１の約１．０５８倍（＝７３／６９）になる。
【００２３】
図３は、この実施の形態における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図である。
横軸は、入力電圧のピーク値Ｖ１または生成電圧の電圧値Ｖ２を表わす。縦軸は、入力検出電圧ＶＤ１または生成検出電圧ＶＤ２または生成電圧の電圧値Ｖ２を表わす。
破線７１１は、入力電圧検出回路１４１における入力電圧のピーク値Ｖ１と入力検出電圧ＶＤ１との関係を表わす。
実線７１２は、生成電圧検出回路１４２における生成電圧の電圧値Ｖ２と生成検出電圧ＶＤ２との関係を表わす。
実線７１３は、入力検出電圧ＶＤ１と生成検出電圧ＶＤ２とが一致するよう制御したことによる入力電圧のピーク値Ｖ１と生成電圧の電圧値Ｖ２との関係を表わす。
なお、破線７１４は、参考のため、Ｖ２＝Ｖ１の場合を表わす４５度の線である。
【００２４】
生成電圧検出回路１４２の分圧比βは、入力電圧検出回路１４１の分圧比αよりも小さい値に設定する。力率改善回路１２０は、入力検出電圧ＶＤ１と生成検出電圧ＶＤ２とが等しくなるよう動作するので、生成電圧の電圧値Ｖ２は、入力電圧のピーク値Ｖ１より大きくなる。すなわち、生成電圧設定回路１４０は、力率改善回路１２０が出力する生成電圧の電圧値Ｖ２が入力電圧のピーク値Ｖ１より大きい電圧値になるよう設定する制御信号を生成する。
これにより、力率改善回路１２０は、入力電圧のピーク値Ｖ１より大きい電圧値の電圧を生成する昇圧コンバータとして動作する。
【００２５】
この例のように、力率改善回路１２０が昇圧コンバータ回路など昇圧型の回路により構成されている場合、力率改善回路１２０が入力する入力電圧のピーク値Ｖ１よりも、力率改善回路１２０が生成する生成電圧の電圧値Ｖ２を小さくするよう制御しようとすると、力率改善回路１２０がうまく動作しない。このため、力率改善回路１２０が生成する生成電圧の電圧値Ｖ２は、力率改善回路１２０が入力する入力電圧のピーク値Ｖ１よりも大きい値に設定する必要がある。
【００２６】
商用電源の電源電圧の値としては、日本国内だけに限っても、１００Ｖ及び２００Ｖ（いずれも実効値）の２種類が一般的であり、外国にも目を向けると、１００Ｖから２４０Ｖの範囲で様々な値が存在する。電源回路１００は、これら様々な電圧値の商用電源を交流電源ＡＣとして使用できることが望ましい。また、これらは標準値であり、±１０％程度の誤差が見込まれることから、約８５Ｖ〜２６５Ｖの範囲の電圧値に対応できるようにする必要がある。
このうち、交流電源ＡＣの交流電圧の実効値が最も大きい２６５Ｖの場合に、力率改善回路１２０が入力する入力電圧のピーク値Ｖ１は、最大となり、約３７５Ｖとなる。逆に、交流電源ＡＣの交流電圧の実効値が最も小さい８５Ｖの場合に、力率改善回路１２０が入力する入力電圧のピーク値Ｖ１は、最小となり、約１２０Ｖとなる。
【００２７】
力率改善回路が入力する入力電圧のピーク値Ｖ１にかかわらず、力率改善回路が生成する生成電圧の電圧値Ｖ２として一定の値を設定する構成の場合、設定値は、３７５Ｖより大きい必要があり、例えば４００Ｖに設定される。
【００２８】
これに対して、この実施の形態における電源回路１００は、力率改善回路１２０が入力する入力電圧のピーク値Ｖ１にしたがって、力率改善回路１２０が生成する生成電圧の設定値を変化させる。
例えば、入力電圧検出回路１４１の分圧比αが１／６９、生成電圧検出回路１４２の分圧比が１／７３の場合、入力電圧のピーク値Ｖ１が３７５Ｖであれば、生成電圧の電圧値Ｖ２は約３９７Ｖになる。入力電圧のピーク値Ｖ１が１４１Ｖであれば、生成電圧の電圧値Ｖ２は約１５０Ｖになる。入力電圧のピーク値Ｖ１が１２０Ｖであれば、生成電圧の電圧値Ｖ２は約１２７Ｖになる。
【００２９】
電力変換回路１３０は、入力する生成電圧の電圧値Ｖ２にかかわらず、光源回路８１０を流れる電流が目標値に一致するよう、生成する負荷電圧を調整する。この例のように、電力変換回路１３０が降圧型の回路により構成されている場合、電力変換回路１３０は、入力する電圧よりも高い電圧を生成することはできない。したがって、生成電圧の電圧値Ｖ２は、光源回路８１０に目標値の電流を流すために必要な電圧と、電流検出抵抗Ｒ３５における電圧降下との和より大きければよい。例えば、光源回路８１０を構成するＬＥＤを目標値の電流が流れた場合におけるＬＥＤの順方向降下電圧の合計が８０Ｖであり、電流検出抵抗Ｒ３５の両端電圧が５Ｖならば、生成電圧の電圧値Ｖ２は、８５Ｖより大きければよい。
【００３０】
力率改善回路１２０における電力損失には、例えば制御ＩＣ１２７の消費電力やスイッチング素子Ｑ２２のスイッチングロスやトランスＴ２１における鉄損などの損失がある。力率改善回路１２０の昇圧比（入力電圧の実効値に対する生成電圧の実効値（電圧値）の比）が大きいほど、トランスＴ２１がハンドリングする電力が大きくなるので、スイッチング素子Ｑ２２のスイッチングロスやトランスＴ２１における鉄損などの電力損失が大きくなり、力率改善回路１２０における電力損失が大きくなる。
したがって、力率改善回路１２０の昇圧比が小さいほうが、電力損失を低減することができ、好ましい。
【００３１】
力率改善回路が入力する入力電圧のピーク値Ｖ１にかかわらず、力率改善回路が生成する生成電圧の電圧値Ｖ２として一定の値を設定する構成を比較例とする。比較例の場合、昇圧比は、力率改善回路が入力する入力電圧が小さくなるほど大きくなる。例えば、設定値が４００Ｖの場合、入力電圧が２００Ｖならば昇圧比は２、入力電圧が１００Ｖならば昇圧比は４である。
【００３２】
これに対して、この実施の形態における電源回路１００は、力率改善回路１２０が入力する入力電圧のピーク値Ｖ１にかかわらず、昇圧比は一定であり、例えば、約１．５である。
したがって、この実施の形態における電源回路１００は、力率改善回路１２０における電力損失を低く抑えることができる。
【００３３】
この実施の形態における電源回路１００は、力率改善回路１２０と、生成電圧設定回路１４０とを有する。
上記力率改善回路１２０は、入力した入力電圧から直流電圧（生成電圧）を生成するとともに、入力する入力電流の波形を制御して、入力の力率を高める。
上記生成電圧設定回路１４０は、上記力率改善回路１２０が入力する入力電圧の電圧値に基づいて、上記力率改善回路１２０が生成する直流電圧の電圧値Ｖ２を設定する。
【００３４】
この実施の形態における電源回路１００によれば、入力電圧の電圧値に基づいて、生成電圧の電圧値Ｖ２を変化させるので、電源回路１００が広い範囲の電源電圧に対応できるよう構成する場合でも、力率改善回路１２０の昇圧比を低く抑えることができ、電力損失を抑えることができる。
【００３５】
この実施の形態における電源回路１００において、上記生成電圧設定回路１４０は、上記力率改善回路１２０が生成する直流電圧（生成電圧）の電圧値Ｖ２として、上記力率改善回路１２０が入力する入力電圧のピーク値Ｖ１よりも高い電圧を設定する。
【００３６】
この実施の形態における電源回路１００によれば、入力電圧のピーク値よりも高い電圧を生成電圧の電圧値Ｖ２として設定するので、昇圧コンバータ回路など昇圧型の回路で力率改善回路１２０を構成する場合でも、力率改善回路１２０を正常に動作させることができる。
【００３７】
この実施の形態における電源回路１００において、上記生成電圧設定回路１４０は、上記力率改善回路１２０が生成する直流電圧の電圧値Ｖ２として、上記力率改善回路１２０が入力する入力電圧のピーク値Ｖ１に比例する電圧を設定する。
【００３８】
この実施の形態における電源回路１００によれば、入力電圧のピーク値に比例する電圧を生成電圧の電圧値Ｖ２として設定するので、力率改善回路１２０の昇圧比を一定にすることができ、比較例と較べて電力損失を抑えることができる。
【００３９】
この実施の形態における電源回路１００において、上記生成電圧設定回路１４０は、入力電圧検出回路１４１と、生成電圧検出回路１４２と、制御信号生成回路１４３とを有する。
上記入力電圧検出回路１４１は、上記力率改善回路１２０が入力する入力電圧の電圧値（ピーク値Ｖ１）を検出する。
上記生成電圧検出回路１４２は、上記力率改善回路１２０が生成した直流電圧（生成電圧）の電圧値Ｖ２を検出する。
上記制御信号生成回路１４３は、上記入力電圧検出回路１４１が検出した電圧値（ピーク値Ｖ１）と上記生成電圧検出回路１４２が検出した電圧値Ｖ２とに基づいて、上記力率改善回路１２０が生成する直流電圧の電圧値Ｖ２を上げるか下げるかを指示する制御信号を生成する。
上記力率改善回路１２０は、上記制御信号生成回路１４３が生成した制御信号にしたがって、生成する直流電圧の電圧値Ｖ２を調整する。
これにより、力率改善回路１２０は、入力電圧検出回路１４１が生成した入力検出電圧ＶＤ１と、生成電圧検出回路１４２が生成した生成検出電圧ＶＤ２とが同じ電圧になるよう動作する。力率改善回路１２０が生成する直流電圧の電圧値Ｖ２は、力率改善回路１２０が入力した入力電圧の電圧値（ピーク値）に基づいて設定された設定値になる。力率改善回路１２０が生成する直流電圧の電圧値Ｖ２と力率改善回路１２０が入力した入力電圧の電圧値との間の関係は、例えば、入力電圧検出回路１４１及び生成電圧検出回路１４２の抵抗比率（分圧比α，β）により定まる。
【００４０】
この実施の形態における電源回路１００によれば、制御信号にしたがって力率改善回路１２０が生成する生成電圧の電圧値Ｖ２を調整するので、入力電圧の電圧値に基づいて、生成電圧の電圧値Ｖ２を変化させることができる。
【００４１】
この実施の形態における電源回路１００において、上記入力電圧検出回路１４１は、上記力率改善回路１２０が入力する入力電圧の電圧値に基づく入力検出電圧を生成する。
上記生成電圧検出回路１４２は、上記力率改善回路１２０が生成した直流電圧（生成電圧）の電圧値Ｖ２に基づく生成検出電圧を生成する。
上記制御信号生成回路１４３は、上記入力電圧検出回路１４１が生成した入力検出電圧と上記生成電圧検出回路１４２が生成した生成検出電圧とを比較して、上記入力検出電圧よりも上記生成検出電圧が高い場合に上記力率改善回路１２０が生成する直流電圧の電圧値を下げるよう指示する制御信号を生成し、上記入力検出電圧よりも上記生成検出電圧が低い場合に上記力率改善回路１２０が生成する直流電圧の電圧値を上げるよう指示する制御信号を生成する。
これにより、力率改善回路１２０は、入力電圧検出回路１４１が生成した入力検出電圧ＶＤ１と、生成電圧検出回路１４２が生成した生成検出電圧ＶＤ２とが同じ電圧になるよう動作する。
【００４２】
この実施の形態における電源回路１００によれば、入力検出電圧ＶＤ１と生成検出電圧ＶＤ２とを一致させるよう動作するので、入力電圧の電圧値に応じて、生成電圧の電圧値Ｖ２を変化させることができる。
【００４３】
この実施の形態における電源回路１００において、上記入力電圧検出回路１４１は、入力分圧回路（２つの分圧抵抗Ｒ５１・Ｒ５２）と、コンデンサＣ５４と、整流素子Ｄ５３とを有する。
上記入力分圧回路は、上記力率改善回路１２０が入力する入力電圧を分圧して入力分圧電圧を生成する。
上記コンデンサＣ５４は、上記整流素子Ｄ５３を介して、上記入力分圧回路が生成した入力分圧電圧により充電される。
上記整流素子Ｄ５３は、上記入力分圧回路が生成した入力分圧電圧よりも上記コンデンサＣ５４に充電された充電電圧が低い場合に導通する。
上記入力電圧検出回路１４１は、上記コンデンサＣ５４に充電された充電電圧を、上記力率改善回路１２０が入力する入力電圧の電圧値に基づく入力検出電圧とする。
【００４４】
この実施の形態における電源回路１００によれば、入力電圧のピーク値Ｖ１に比例する電圧を入力検出電圧とするので、入力電圧のピーク値Ｖ１に基づいて、生成電圧の電圧値Ｖ２を変化させることができる。
【００４５】
この実施の形態における電源回路１００において、上記生成電圧検出回路１４２は、生成分圧回路（２つの分圧抵抗Ｒ６１・Ｒ６２）を有する。
上記生成分圧回路（生成電圧検出回路１４２）は、上記力率改善回路１２０が生成した直流電圧（生成電圧）を分圧して生成分圧電圧（生成検出電圧ＶＤ２）を生成する。
上記生成電圧検出回路１４２は、上記生成分圧回路（生成電圧検出回路１４２）が生成した生成分圧電圧（生成検出電圧ＶＤ２）を、上記力率改善回路１２０が生成した直流電圧の電圧値Ｖ２に基づく生成検出電圧ＶＤ２として出力する。
【００４６】
この実施の形態における電源回路１００によれば、生成電圧の電圧値Ｖ２に比例する電圧を生成検出電圧ＶＤ２とするので、入力電圧の電圧値に基づいて、生成電圧の電圧値Ｖ２を変化させることができる。
【００４７】
この実施の形態における電源回路１００は、更に、整流回路１１０と、電力変換回路１３０とを有する。
上記整流回路１１０は、入力した交流電圧を整流して脈流電圧を生成する。
上記力率改善回路１２０は、上記入力電圧として、上記整流回路１１０が生成した脈流電圧を入力する。
上記電力変換回路１３０は、上記力率改善回路１２０が生成した直流電圧（生成電圧）を降圧して、負荷回路（光源回路８１０）に印加する負荷電圧を生成する。
【００４８】
この実施の形態における電源回路１００によれば、電力変換回路１３０が生成電圧を降圧して負荷電圧を生成するので、入力電圧の電圧値（ピーク値）に応じて生成電圧の電圧値が変化しても、負荷回路（光源回路８１０）に目標値の電流を流すのに必要な負荷電圧を維持し続けることができる。これにより、電力変換回路１３０は、定電流駆動回路として動作する。
【００４９】
この実施の形態における照明装置８００は、電源回路１００と、光源回路８１０とを有する。
上記光源回路８１０は、上記電源回路１００に対する負荷回路として上記電源回路１００に接続され、上記電源回路１００が生成した電圧により点灯する発光素子（ＬＥＤ）を有する。
【００５０】
この実施の形態における照明装置８００によれば、照明装置８００が広い範囲の電源電圧に対応できるよう構成する場合でも、電力損失を抑えることができる。
【００５１】
以上説明した電源回路１００は、一定の駆動電流で動作させる負荷回路（光源回路８１０）に対して電力を供給する。
上記電源回路１００は、力率改善回路１２０と、電力変換回路１３０と、生成電圧設定回路１４０とを有する。
上記力率改善回路１２０は、トランスＴ２１（コイル）と、スイッチング素子Ｑ２２とを有し、上記電力変換回路に電力を供給する。
上記電力変換回路は、電流検出回路（電流検出抵抗Ｒ３５）を有し、上記電流検出回路が検出した電流値情報を基に上記負荷回路を定電流駆動する。
上記電流検出回路は、上記負荷回路に流れる駆動電流を検出する。
上記生成電圧設定回路１４０は、商用電源（交流電源ＡＣ）の実効電圧値または最大電圧値の情報を入力し、上記力率改善回路１２０の出力電圧の情報を入力し、これらの入力された情報を基に上記力率改善回路１２０の出力電圧を変化させる。
【００５２】
以上説明した電源回路１００において、力率改善回路１２０は、負荷回路を定電流駆動するのに必要な電圧を下回らない範囲で、出力電圧を商用電源の入力電圧の実効値または最大電圧値に追従して上下させ、入力電圧と出力電圧の差を小さくすることにより、電源回路１００の損失を削減し、電気効率が向上する。例えば入力電圧にかかわらず力率改善回路１２０の昇圧比を一定とすることにより、特に入力電圧の低い場合ほど、比較例に比べて昇圧比が低くなり、電気効率が大幅に良くなる。
また、電力変換回路１３０は、負荷回路を定電流駆動するのに必要な電圧を下回らない範囲で力率改善回路１２０の出力電圧（生成電圧Ｖ２）が入力されるので、入力電圧と出力電圧の差が小さくて済み、電気効率が向上する。特に入力電圧の低い場合に電気効率が大幅に向上する。
【００５３】
生成電圧設定回路１４０が、商用電源の入力電圧の（実効値または）最大電圧値に追従して生成電圧を変動させるため、力率改善回路１２０では、昇圧コンバータの入出力差が小さくなり、電力変換回路では、降圧コンバータの入出力差が小さくなる。これにより、力率改善回路１２０、電力変換回路の両方の回路において、従来の電源回路よりも電気効率が向上する。
【００５４】
なお、電力変換回路１３０は、不連続モードで動作させる。不連続モードとは、スイッチング素子Ｑ３１の電流が毎回０から始まり、還流ダイオード（整流素子Ｄ３２）の電流が毎回０まで減少する動作モードである。これは、チョークコイルＬ３３のインダクタンス値を適正な値に設定することにより実現できる。電力変換回路１３０を不連続モードにすることによって、還流ダイオードの逆回復電流が大幅に減少するので、電力変換回路の電気効率が良くなる。
【００５５】
また、力率改善回路１２０は、トランスＴ２１の主巻線に蓄積されたエネルギーを放出した後、ゼロクロスのタイミングで、制御ＩＣ１２７がスイッチング素子Ｑ２２をオンさせる。これにより、力率改善回路１２０は、臨界モードで動作する。力率改善回路１２０が臨界モードで動作することにより、スイッチング素子Ｑ２２でのスイッチング損失が減り、ダイオード（整流素子Ｄ２３）に逆回復電流が流れることによるリカバリーロスを減らすことができる。これにより、力率改善回路１２０の電気効率が良くなる。
力率改善回路１２０は、商用電源の電圧波形と、商用電源から整流回路１１０に流れる電流波形とをほぼ同じ形にする。これにより、力率が１に近づき、電気効率が良くなる。
電源回路１００は、力率改善を行うことができるので、電源高調波対策が必要な照明器具の電源回路として使用できる。
【００５６】
なお、生成電圧設定回路１４０は、抵抗やエラーアンプ（誤差増幅器Ａ７１）を用いて構成するものに限らず、別の回路構成であってもよい。
また、電力変換回路は、電流検出抵抗Ｒ３５により光源回路８１０を流れる電流を検出する構成に限らず、別の回路構成により、光源回路８１０を流れる電流を検出してもよい。
また、整流素子Ｄ５３に代えて、オペアンプ等の半導体素子を用いた整流回路により構成した理想ダイオードを用いる構成としてもよい。
【００５７】
以上説明した電源回路１００において、上記生成電圧設定回路１４０は、上記力率改善回路１２０の入力電圧の最大電圧値（ピーク値Ｖ１）に対して、上記力率改善回路１２０の出力電圧を高くするとともに、上記電力変換回路１３０の出力電圧に対して、上記力率改善回路１２０の出力電圧を高くするような補正をおこなう。
【００５８】
これにより、世界共通で使用可能なワイド入力（ＡＣ８５〜２６５Ｖ）の電圧範囲において、電源回路１００の電気効率を良くすることができる。
【００５９】
以上説明した電源回路１００を搭載することにより、照明装置８００の電気効率を向上させることができる。
【００６０】
実施の形態２．
実施の形態２について、図４〜図５を用いて説明する。
なお、実施の形態１と共通する部分については、同一の符号を付し、説明を省略する。
【００６１】
図４は、この実施の形態における生成電圧検出回路１４２の具体的な回路構成の一例を示す電気回路図である。
生成電圧検出回路１４２は、実施の形態１で説明した構成に加えて、定電圧ダイオードＺ６３を有する。定電圧ダイオードＺ６３は、例えば、ツェナーダイオードである。定電圧ダイオードＺ６３は、分圧抵抗Ｒ６１に並列に電気接続している。
【００６２】
２つの分圧抵抗Ｒ６１・Ｒ６２には、生成電圧の電圧値Ｖ２を分圧比βによって分圧した電圧が印加される。分圧抵抗Ｒ６１の両端電圧が定電圧ダイオードＺ６３の降伏電圧ＶＺに達すると、定電圧ダイオードＺ６３が導通する。このため、分圧抵抗Ｒ６１の両端電圧が降伏電圧ＶＺを超えることはない。したがって、生成検出電圧ＶＤ２は、
【数１４】
2011091900.tif 000006
例えば、生成電圧検出回路１４２の分圧比βが１／８３、定電圧ダイオードＺ６３の降伏電圧ＶＺが３８０Ｖである場合、生成電圧の電圧値Ｖ２が約３８５Ｖより低ければ、生成検出電圧ＶＤ２は、生成電圧の電圧値Ｖ２のβ倍になり、例えば、生成電圧の電圧値Ｖ２が３００Ｖなら生成検出電圧ＶＤ２は約３．６１Ｖになる。生成電圧の電圧値Ｖ２が約３８５Ｖより高ければ、生成検出電圧ＶＤ２は、生成電圧の電圧値Ｖ２から降伏電圧ＶＺを差し引いた差になり、例えば、生成電圧の電圧値Ｖ２が３９０Ｖなら生成検出電圧ＶＤ２は１０Ｖになる。
【００６３】
入力検出電圧ＶＤ１と生成検出電圧ＶＤ２とが等しくなるよう制御することにより、入力電圧のピーク値Ｖ１と生成電圧の電圧値Ｖ２との間には、以下の関係が成り立つ。
【数１５】
2011091900.tif 000007
例えば、入力電圧検出回路１４１の分圧比αが１／６９、生成電圧検出回路１４２の分圧比が１／８３、定電圧ダイオードＺ６３の降伏電圧ＶＺが３８０Ｖの場合において、入力電圧のピーク値Ｖ１が３２０Ｖであれば、生成電圧の電圧値Ｖ２は約３８５Ｖになる。また、入力電圧のピーク値Ｖ１が３７５Ｖであっても、生成電圧の電圧値Ｖ２は約３８５Ｖになる。
このように、入力電圧検出回路１４１の分圧比αが十分に小さければ、入力電圧のピーク値Ｖ１が所定の閾値（この場合３２０Ｖ）より大きい場合、生成電圧の電圧値Ｖ２はほぼ一定になる。
【００６４】
図５は、この実施の形態における生成電圧の電圧値Ｖ２と生成検出電圧ＶＤ２との関係、および、入力電圧のピーク値Ｖ１と生成電圧の電圧値Ｖ２との関係を示すグラフ図である。
横軸は、入力電圧のピーク値Ｖ１または生成電圧の電圧値Ｖ２を表わす。縦軸は、生成検出電圧ＶＤ２または生成電圧の電圧値Ｖ２を表わす。
実線７１２は、生成電圧検出回路１４２における生成電圧の電圧値Ｖ２と生成検出電圧ＶＤ２との関係を表わす。
実線７１３は、入力検出電圧ＶＤ１と生成検出電圧ＶＤ２とが一致するよう制御したことによる入力電圧のピーク値Ｖ１と生成電圧の電圧値Ｖ２との関係を表わす。
【００６５】
このように、入力電圧のピーク値Ｖ１が小さい場合、生成電圧の電圧値Ｖ２は、実施の形態１と同様、入力電圧のピーク値Ｖ１に比例する。しかし、入力電圧のピーク値Ｖ１が大きくなると、生成電圧の電圧値Ｖ２の上昇が抑えられる。
これにより、入力電圧のピーク値Ｖ１が大きい場合における力率改善回路１２０の昇圧比を低くすることができるので、電力損失を抑えることができる。
【００６６】
なお、生成電圧の電圧値Ｖ２の上昇を抑えるため、入力電圧のピーク値Ｖ１が大きくなりすぎると、生成電圧の電圧値Ｖ２のほうが入力電圧のピーク値Ｖ１よりも低くなる。したがって、力率改善回路１２０を正常に動作させるには、入力電圧のピーク値Ｖ１が以下の条件を満たす必要がある。
【数１６】
2011091900.tif 000008
例えば、入力電圧検出回路１４１の分圧比αが１／６９、生成電圧検出回路１４２の分圧比が１／８３、定電圧ダイオードＺ６３の降伏電圧ＶＺが３８０Ｖの場合であれば、入力電圧のピーク値Ｖ１は、約３８５Ｖより低い必要がある。交流電源ＡＣの電源電圧が２６５Ｖの場合、入力電圧のピーク値Ｖ１は約３７５Ｖであるから、この範囲内に収まり、力率改善回路１２０は、正常に動作する。
【００６７】
この実施の形態における電源回路１００において、上記生成電圧設定回路１４０は、上記力率改善回路１２０が入力する入力電圧のピーク値Ｖ１が所定の閾値より小さい場合、上記力率改善回路１２０が生成する直流電圧（生成電圧）の電圧値として、上記力率改善回路１２０が入力する入力電圧のピーク値Ｖ１に比例する電圧を設定し、上記力率改善回路１２０が入力する入力電圧のピーク値Ｖ１が上記閾値より大きい場合、上記力率改善回路１２０が生成する直流電圧（生成電圧）の電圧値として、概ね一定の値を設定する。
【００６８】
この実施の形態における電源回路１００によれば、入力電圧のピーク値Ｖ１が所定の閾値より大きい場合、生成電圧の設定値を概ね一定の値とするので、入力電圧のピーク値Ｖ１が大きい場合における力率改善回路１２０の昇圧比を低く抑えることができ、電力損失を抑えることができる。
【００６９】
この実施の形態における電源回路１００において、上記生成電圧検出回路１４２は、２つの分圧抵抗Ｒ６１・Ｒ６２と、定電圧ダイオードＺ６３とを有する。
上記２つの分圧抵抗Ｒ６１・Ｒ６２は、互いに直列に電気接続し、上記力率改善回路１２０の出力に電気接続している。
上記定電圧ダイオードＺ６３は、上記２つの分圧抵抗のうち第一の分圧抵抗Ｒ６１と並列に電気接続している。
上記生成電圧検出回路１４２は、上記２つの分圧抵抗のうち第二の分圧抵抗Ｒ６２の両端に発生した電圧を、上記力率改善回路１２０が生成した直流電圧（生成電圧）の電圧値Ｖ２に基づく生成検出電圧ＶＤ２とする。
【００７０】
この実施の形態における電源回路１００によれば、生成電圧の電圧値Ｖ２が所定の値より大きい場合に、分圧抵抗Ｒ６１の両端電圧が定電圧ダイオードＺ６３の降伏電圧ＶＺになるので、入力電圧の電圧値が所定の閾値より大きい場合に、生成電圧の設定値をほぼ一定の値とすることができる。
【００７１】
以上説明した電源回路１００は、生成電圧設定回路１４０の働きにより、ワイド入力（例えばＡＣ８５〜２６５Ｖ）の大半の入力範囲（例えばＡＣ２２６Ｖ以下）において、従来の電源回路よりも生成電圧の電圧値Ｖ２が低くなるので、電気効率が良くなる。最大入力電圧付近（例えばＡＣ２２６Ｖ超）では、生成電圧の電圧値Ｖ２がほぼ一定値（例えば３８５Ｖ）となる。したがって、従来（例えば４００Ｖ）に比べて、昇圧比を低くすることができ、電気効率が良くなる。
【００７２】
なお、ツェナーダイオード（定電圧ダイオードＺ６３）に代えて、同等の機能を有する別の回路を用いる構成としてもよい。
【００７３】
実施の形態３．
実施の形態３について、図６〜図８を用いて説明する。
なお、実施の形態１または実施の形態２と共通する部分については、同一の符号を付し、説明を省略する。
【００７４】
実施の形態１（及び実施の形態２）では、入力電圧検出回路１４１の整流素子Ｄ５３の順方向降下電圧が十分小さいものとして無視したが、この実施の形態では、整流素子Ｄ５３の順方向降下電圧が無視できない場合について説明する。
【００７５】
実施の形態１における入力電圧検出回路１４１において、整流素子Ｄ５３の順方向降下電圧が無視できないとすると、入力検出電圧ＶＤ１は、以下の式で表わされる。
【数１７】
2011091900.tif 000009
ただし、ＶＦは、整流素子Ｄ５３の順方向降下電圧である。
【００７６】
入力検出電圧ＶＤ１と生成検出電圧ＶＤ２とが等しくなるよう制御することにより、入力電圧のピーク値Ｖ１と生成電圧の電圧値Ｖ２との間には、以下の関係が成り立つ。
【数１８】
2011091900.tif 000010
【００７７】
図６は、この実施の形態における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図である。
【００７８】
入力電圧検出回路１４１の分圧比αよりも生成電圧検出回路１４２の分圧比βが小さい場合であっても、入力電圧のピーク値Ｖ１によっては、入力電圧のピーク値Ｖ１よりも生成電圧の設定値が小さくなる場合がある。力率改善回路１２０が正常に動作するためには、入力電圧のピーク値Ｖ１が以下の条件を満たす必要がある。
【数１９】
2011091900.tif 000011
【００７９】
例えば、入力電圧検出回路１４１の分圧比αが１／５７、生成電圧検出回路１４２の分圧比が１／８３、整流素子Ｄ５３の順方向降下電圧ＶＦが０．７Ｖの場合であれば、入力電圧のピーク値Ｖ１は、約１２７Ｖより高い必要がある。
この下限電圧を下げるには、αとβとの差を大きくすればよい。ただし、αとβとの差を大きくすると、力率改善回路１２０の昇圧比が大きくなる。
【００８０】
図７は、この実施の形態における入力電圧検出回路１４１の具体的な回路構成の一例を示す電気回路図である。
入力電圧検出回路１４１は、実施の形態１で説明した構成に加えて、整流素子Ｄ５５を有する。整流素子Ｄ５５は、分圧抵抗Ｒ５２に直列に電気接続している。整流素子Ｄ５５は、整流素子Ｄ５３とほぼ同じ順方向降下電圧を有する。
【００８１】
この構成において、入力電圧検出回路１４１が生成する入力検出電圧ＶＤ１は、以下の式で表わされる。
【数２０】
2011091900.tif 000012
ただし、ＶＦは、整流素子Ｄ５３及び整流素子Ｄ５５の順方向降下電圧である。
【００８２】
入力検出電圧ＶＤ１と生成検出電圧ＶＤ２とが等しくなるよう制御することにより、入力電圧のピーク値Ｖ１と生成電圧の電圧値Ｖ２との間には、以下の関係が成り立つ。
【数２１】
2011091900.tif 000013
【００８３】
図８は、この実施の形態における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図である。
【００８４】
力率改善回路１２０が正常に動作するためには、入力電圧のピーク値Ｖ１が以下の条件を満たす必要がある。
【数２２】
2011091900.tif 000014
【００８５】
例えば、入力電圧検出回路１４１の分圧比αが１／６８、生成電圧検出回路１４２の分圧比が１／７３、整流素子Ｄ５３及び整流素子Ｄ５５の順方向降下電圧ＶＦが０．７Ｖの場合であれば、入力電圧のピーク値Ｖ１は、約１０．２Ｖより高ければよい。交流電源ＡＣの電源電圧が８５Ｖの場合、入力電圧のピーク値Ｖ１は約１２０Ｖであるから、この範囲内に収まり、力率改善回路１２０は、正常に動作する。
【００８６】
このように入力電圧検出回路１４１を構成することにより、入力電圧のピーク値Ｖ１の下限が小さくなるので、力率改善回路１２０が正常に動作する電圧範囲を広くすることができる。このとき、分圧比αと分圧比βとの差をあまり大きくする必要がないので、力率改善回路１２０の昇圧比を小さくすることができ、電力損失を抑えることができる。
【００８７】
この実施の形態における電源回路１００において、上記入力電圧検出回路１４１は、２つの分圧抵抗Ｒ５１・Ｒ５２、２つの整流素子Ｄ５３・Ｄ５５、コンデンサＣ５４を有する。
上記２つの分圧抵抗Ｒ５１・Ｒ５２と、上記２つの整流素子のうち第一の整流素子Ｄ５５とは、互いに直列に電気接続し、上記力率改善回路１２０の入力に並列に電気接続している。
上記コンデンサＣ５４は、上記２つの整流素子のうち第二の整流素子Ｄ５３を介して、上記２つの分圧抵抗のうち一方の分圧抵抗Ｒ５２と上記第一の整流素子Ｄ５５とに並列に電気接続している。
上記入力電圧検出回路１４１は、上記コンデンサＣ５４に充電された充電電圧を、上記力率改善回路１２０が入力する入力電圧の電圧値に基づく入力検出電圧ＶＤ１とする。
【００８８】
この実施の形態における電源回路１００によれば、整流素子Ｄ５５における順方向降下電圧と、整流素子Ｄ５３における順方向降下電圧とが打ち消し合うので、整流素子Ｄ５３における順方向降下電圧が無視できない場合であっても、力率改善回路１２０が正常に動作し、電力損失を抑えることができる。
【００８９】
実施の形態４．
実施の形態４について、図９〜図１０を用いて説明する。
なお、実施の形態１乃至実施の形態３のいずれかと共通する部分については、同一の符号を付し、説明を省略する。
【００９０】
上述したように、電力変換回路１３０を降圧型ＤＣ／ＤＣコンバータ回路など降圧型の回路で構成する場合、電力変換回路１３０は、入力した電圧より高い電圧を生成することはできない。
このため、力率改善回路１２０が生成する生成電圧の電圧値Ｖ２は、少なくとも光源回路８１０を目標値の電流で定電流駆動するために必要な電圧よりも高いことが必要である。光源回路８１０を目標値の電流で定電流駆動するために必要な電圧は、光源回路８１０のＬＥＤに目標値の電流を流したときの順方向降下電圧の合計に電流検出抵抗Ｒ３４の電圧降下を加えた電圧である。
【００９１】
図９は、この実施の形態における生成電圧検出回路１４２の具体的な回路構成の一例を示す電気回路図である。
生成電圧検出回路１４２は、実施の形態１で説明した構成に加えて、定電圧ダイオードＺ６４を有する。定電圧ダイオードＺ６４は、例えばツェナーダイオードである。定電圧ダイオードＺ６４は、分圧抵抗Ｒ６１に直列に電気接続している。
【００９２】
生成電圧の電圧値Ｖ２が定電圧ダイオードＺ６４の降伏電圧ＶＺより低い場合、定電圧ダイオードＺ６４が導通しない。生成電圧の電圧値Ｖ２が定電圧ダイオードＺ６４の降伏電圧ＶＺより高い場合、２つの分圧抵抗Ｒ６１・Ｒ６２には、生成電圧の電圧値Ｖ２から降伏電圧ＶＺを差し引いた電圧を分圧比βで分圧した電圧が印加される。したがって、生成検出電圧ＶＤ２は、以下の式で表わされる。
【数２３】
2011091900.tif 000015
【００９３】
入力検出電圧ＶＤ１と生成検出電圧ＶＤ２とが等しくなるよう制御することにより、入力電圧のピーク値Ｖ１と生成電圧の電圧値Ｖ２との間には、以下の関係が成り立つ。
【数２４】
2011091900.tif 000016
ただし、ＶＦは、入力電圧検出回路１４１の整流素子Ｄ５３の順方向降下電圧である。
【００９４】
この実施の形態において、入力電圧検出回路１４１の分圧比αは、生成電圧検出回路１４２の分圧比βより大きい必要はない。分圧比αと分圧比βとが等しくても、生成電圧の電圧値Ｖ２は、入力電圧のピーク値Ｖ１より大きくなる。また、分圧比αより分圧比βが大きい場合でも、入力電圧のピーク値Ｖ１が所定の値より小さければ、生成電圧の電圧値Ｖ２は、入力電圧のピーク値Ｖ１より大きくなる。
【００９５】
図１０は、この実施の形態における入力電圧のピーク値Ｖ１と入力検出電圧ＶＤ１との関係、生成電圧の電圧値Ｖ２と生成検出電圧ＶＤ２との関係、および、入力電圧のピーク値Ｖ１と生成電圧の電圧値Ｖ２との関係を示すグラフ図である。
なお、この図は、分圧比αより分圧比βが大きい場合の例である。
【００９６】
例えば、入力電圧検出回路１４１の分圧比αが１／７６、生成電圧検出回路１４２の分圧比βが１／６９、定電圧ダイオードＺ６４の降伏電圧ＶＺが１００Ｖ、整流素子Ｄ５３の順方向降下電圧ＶＦが０．７Ｖである場合、入力電圧のピーク値Ｖ１が１２０Ｖならば、生成電圧の電圧値Ｖ２は約１２８Ｖになる。また、入力電圧のピーク値Ｖ１が３７３Ｖならば、生成電圧の電圧値Ｖ２は約４００Ｖになる。
【００９７】
このように、生成電圧検出回路１４２の分圧比βが入力電圧検出回路１４１の分圧比αより大きい場合、力率改善回路１２０が正常に動作するためには、入力電圧のピーク値Ｖ１が以下の条件を満たす必要がある。
【数２５】
2011091900.tif 000017
例えば、入力電圧検出回路１４１の分圧比αが１／７６、生成電圧検出回路１４２の分圧比βが１／６９、定電圧ダイオードＺ６４の降伏電圧ＶＺが１００Ｖ、整流素子Ｄ５３の順方向降下電圧ＶＦが０．７Ｖである場合、入力電圧のピーク値Ｖ１が約５６１Ｖより低ければよい。交流電源ＡＣの電源電圧が２６５Ｖの場合、入力電圧のピーク値Ｖ１は約３７５Ｖであるから、この範囲内に収まり、力率改善回路１２０は、正常に動作する。
【００９８】
この実施の形態における電源回路１００において、上記生成電圧設定回路１４０は、上記力率改善回路１２０が生成する直流電圧（生成電圧）の電圧値Ｖ２として、所定の閾値電圧（降伏電圧ＶＺ）より大きい電圧を設定する。
【００９９】
この実施の形態における電源回路１００によれば、生成電圧の電圧値Ｖ２として、所定の閾値電圧より大きい電圧を設定するので、力率改善回路１２０より後段の回路に必要な最低電圧以上の電圧を、力率改善回路１２０が生成することができる。
【０１００】
この実施の形態における電源回路１００において、上記生成電圧検出回路１４２は、上記力率改善回路１２０が生成した直流電圧（生成電圧）の電圧値Ｖ２が所定の閾値電圧（降伏電圧ＶＺ）より小さい場合に、上記力率改善回路１２０が生成した直流電圧の電圧値Ｖ２を検出しない。
【０１０１】
この実施の形態における電源回路１００によれば、生成電圧の電圧値Ｖ２が閾値電圧より小さい場合に生成電圧検出回路１４２が生成電圧の電圧値Ｖ２を検出しないので、生成電圧の電圧値として、閾値電圧より大きい値を設定することができる。
【０１０２】
この実施の形態における電源回路１００において、上記生成電圧検出回路１４２は、２つの分圧抵抗Ｒ６１・Ｒ６２と、定電圧ダイオードＺ６４とを有する。
上記２つの分圧抵抗Ｒ６１・Ｒ６２と、上記定電圧ダイオードＺ６４とは、互いに直列に電気接続し、力率改善回路１２０の出力に電気接続している。
上記生成電圧検出回路１４２は、上記２つの分圧抵抗のうち第一の分圧抵抗Ｒ６２の両端に発生する電圧を、上記力率改善回路１２０が生成した直流電圧（生成電圧）の電圧値Ｖ２に基づく生成検出電圧ＶＤ２とする。
【０１０３】
この実施の形態における電源回路１００によれば、生成電圧の電圧値Ｖ２が定電圧ダイオードＺ６４の降伏電圧ＶＺより小さい場合に、生成検出電圧ＶＤ２が０になるので、生成電圧の電圧値として、閾値電圧より大きい値を設定することができる。
【０１０４】
実施の形態５．
実施の形態５について、図１１を用いて説明する。
なお、実施の形態１乃至実施の形態４のいずれかと共通する部分については、同一の符号を付し、説明を省略する。
【０１０５】
実施の形態１乃至実施の形態４で説明した具体例は、いずれも、アナログ回路を用いて生成電圧設定回路１４０を構成した例であるが、生成電圧設定回路１４０は、例えばマイクロコンピュータ（以下「マイコン」と呼ぶ。）などのデジタル回路を用いて構成してもよい。
【０１０６】
図１１は、この実施の形態における生成電圧設定回路１４０の具体的な回路構成の一例を示す図である。
生成電圧設定回路１４０は、４つの分圧抵抗Ｒ５１・Ｒ５２・Ｒ６１・Ｒ６２と、マイコン１８０とを有する。
２つの分圧抵抗Ｒ５１・Ｒ５２（入力分圧回路）は、互いに直列に接続し、力率改善回路１２０が入力する入力電圧を分圧した入力分圧電圧を生成する。
２つの分圧抵抗Ｒ６１・Ｒ２６（生成分圧回路）は、互いに直列に接続し、力率改善回路１２０が生成した生成電圧を分圧した生成分圧電圧を生成する。
【０１０７】
マイコン１８０のハードウェア構成は図示していないが、例えば、処理装置、記憶装置、入力装置、出力装置などである。処理装置（以下「ＣＰＵ」と呼ぶ。）は、記憶装置が記憶したプログラムを実行することにより、マイコン１８０全体を制御し、データを処理する。記憶装置は、例えば揮発性メモリ（以下「ＲＡＭ」と呼ぶ。）や不揮発性メモリ（以下「ＲＯＭ」と呼ぶ。）であり、ＣＰＵが実行するプログラムやＣＰＵが処理するデータなどを記憶する。入力装置は、例えばアナログデジタル変換回路（以下「ＡＤＣ」と呼ぶ。）であり、マイコン１８０の外部から信号を入力し、ＣＰＵが処理できるデータに変換する。入力装置が変換したデータは、ＣＰＵが直接処理してもよいし、記憶装置が記憶してもよい。出力装置は、例えばデジタルアナログ変換回路（以下「ＤＡＣ」と呼ぶ。）であり、ＣＰＵが処理したデータを信号に変換してマイコン１８０の外部に出力する。出力装置が変換するデータは、ＣＰＵから直接受け取ったものであってもよいし、記憶装置が記憶したものであってもよい。
マイコン１８０は、記憶装置が記憶したプログラムをＣＰＵが実行することにより、これらのハードウェアが協調して動作し、以下に説明する機能ブロックを実現する。
【０１０８】
マイコン１８０が実現する機能ブロックには、入力電圧検出部１８１、ピーク電圧算出部１８２、生成電圧設定部１８３、生成電圧検出部１８４、生成電圧比較部１８５、制御信号生成部１８６などがある。
【０１０９】
入力電圧検出部１８１は、ＡＤＣを用いて、２つの分圧抵抗Ｒ５１・Ｒ５２が生成した入力分圧電圧を入力してデータ（以下「入力分圧データ」と呼ぶ。）に変換し、ＲＡＭを用いて、入力分圧データを記憶する。
ピーク電圧算出部１８２は、入力電圧検出部１８１がＲＡＭを用いて記憶した入力分圧データに基づいて、ＣＰＵを用いて、入力分圧電圧のピーク値を算出し、ＲＡＭを用いて、算出したピーク値を表わすデータ（以下「入力検出データ」と呼ぶ。）を記憶する。
２つの分圧抵抗Ｒ５１・Ｒ５２及び入力電圧検出部１８１・ピーク電圧算出部１８２は、入力電圧検出回路１４１に相当する。なお、生成電圧設定回路１４０は、実施の形態１または実施の形態３で説明した入力電圧検出回路１４１をマイコン１８０の外部に設け、入力電圧検出回路１４１が生成した入力検出電圧ＶＤ１をマイコン１８０が入力する構成としてもよい。
【０１１０】
生成電圧検出部１８４は、ＡＤＣを用いて、２つの分圧抵抗Ｒ６１・Ｒ６２が生成した生成分圧電圧を入力してデータ（以下「生成検出データ」と呼ぶ。）に変換する。生成電圧検出部１８４は、ＲＡＭを用いて、生成検出データを記憶する。
２つの分圧抵抗Ｒ６１・Ｒ６２及び生成電圧検出部１８４は、生成電圧検出回路１４２に相当する。なお、生成電圧設定回路１４０は、実施の形態２または実施の形態３で説明した生成電圧検出回路１４２をマイコン１８０の外部に設け、生成電圧検出回路１４２が生成した生成検出電圧ＶＤ２をマイコン１８０が入力する構成としてもよい。
【０１１１】
生成電圧設定部１８３は、ピーク電圧算出部１８２がＲＡＭを用いて記憶した入力検出データに基づいて、ＣＰＵを用いて、入力電圧の電圧値に対応する生成電圧の電圧値Ｖ２として設定する設定値を算出する。生成電圧設定部１８３は、ＲＡＭを用いて、算出した設定値を表わすデータ（以下「生成設定データ」と呼ぶ。）を記憶する。
例えば、マイコン１８０は、入力検出データを生成設定データに変換するためのテーブルを、あらかじめＲＯＭに記憶しておく。生成電圧設定部１８３は、ＣＰＵを用いて、ＲＯＭが記憶したテーブルを検索して、入力検出データに対応する生成設定データを取得する。また、例えば、マイコン１８０は、入力検出データから生成設定データを計算するための計算式を、あらかじめＲＯＭに記憶しておく。生成電圧設定部１８３は、ＣＰＵを用いて、ＲＯＭが記憶した計算式に入力検出データを代入して生成設定データを計算する。
【０１１２】
テーブルを用いる方式の利点の一つは、入力検出電圧と設定値との関係を自由に設定できる点である。例えば、入力電圧のピーク値Ｖ１と生成電圧の電圧値Ｖ２との関係が、以下のような関係になるよう、入力検出電圧と設定値との関係を設定することも容易にできる。
【数２６】
2011091900.tif 000018
ただし、ＶＭＩＮは設定最小値、ΔＶは設定差分値、ＶＭＡＸは設定最大値である。
例えば、ＶＭＩＮは１００Ｖ、ΔＶは５Ｖ、ＶＭＡＸは４００Ｖに設定する。これにより、生成電圧設定回路１４０は、生成電圧の電圧値Ｖ２として、１００Ｖ〜４００Ｖの範囲内で、入力電圧のピーク値より５Ｖだけ大きい値を設定する。
【０１１３】
また、何らかの原因により、入力検出電圧や生成検出電圧に非線形歪みなどの誤差が生じる場合、テーブルを用いる方式であれば、テーブルを修正することにより、誤差を補正することができる。
【０１１４】
生成電圧比較部１８５は、生成電圧検出部１８４がＲＡＭを用いて記憶した生成検出データと、生成電圧設定部１８３がＲＡＭを用いて記憶した生成設定データとに基づいて、ＣＰＵを用いて、生成電圧の電圧値Ｖ２が設定値より大きいか小さいかを判定する。生成電圧比較部１８５は、ＲＡＭを用いて、判定した結果を表わすデータ（以下「判定結果データ」と呼ぶ。）を記憶する。
【０１１５】
制御信号生成部１８６は、生成電圧比較部１８５がＲＡＭを用いて記憶した判定結果データに基づいて、ＤＡＣを用いて、制御信号を生成して出力する。生成電圧の電圧値Ｖ２が設定値より大きい場合、制御信号生成部１８６は、生成電圧の電圧値Ｖ２を下げるよう指示する制御信号を生成する。生成電圧の電圧値Ｖ２が設定値より小さい場合、制御信号生成部１８６は、生成電圧の電圧値Ｖ２を上げるよう指示する制御信号を生成する。
【０１１６】
この実施の形態における電源回路１００は、更に、データを処理する処理装置（ＣＰＵ、マイコン１８０）を有する。
上記生成電圧設定回路１４０は、生成電圧設定部１８３と、制御信号生成部１８６とを有する。
上記生成電圧設定部１８３は、上記力率改善回路１２０が入力する入力電圧の電圧値に基づいて、上記処理装置を用いて、上記力率改善回路１２０が生成する直流電圧（生成電圧）の電圧値として設定する設定値を算出する。
上記制御信号生成部１８６は、上記生成電圧設定部１８３が算出した設定値と、上記力率改善回路１２０が生成した直流電圧（生成電圧）の電圧値とに基づいて、上記処理装置を用いて、上記力率改善回路が生成する直流電圧の電圧値を上げるか下げるかを指示する制御信号を生成する。
上記力率改善回路１２０は、上記制御信号生成部１８６が生成した制御信号にしたがって、生成する直流電圧の電圧値を調整する。
【０１１７】
この実施の形態における電源回路１００によれば、上記力率改善回路１２０が入力する入力電圧の電圧値に基づいて、生成電圧設定部１８３が生成電圧の設定値を算出するので、力率改善回路１２０の昇圧比を低く抑え、電力損失を抑えることができる。
【０１１８】
なお、生成電圧設定回路１４０は、アナログ回路やマイコン１８０を用いて実現する構成に限らず、集積回路や機械式の機構など他の部品を用いて実現する構成であってもよい。
【符号の説明】
【０１１９】
１００  電源回路、１１０  整流回路、１２０  力率改善回路、１２７，１３９  制御ＩＣ、１３０  電力変換回路、１４０  生成電圧設定回路、１４１  入力電圧検出回路、１４２  生成電圧検出回路、１４３  制御信号生成回路、１８０  マイコン、１８１  入力電圧検出部、１８２  ピーク電圧算出部、１８３  生成電圧設定部、１８４  生成電圧検出部、１８５  生成電圧比較部、１８６  制御信号生成部、７１１，７１４  破線、７１２，７１３  実線、８００  照明装置、８１０  光源回路、Ａ３７，Ａ７１  誤差増幅器、ＡＣ  交流電源、Ｃ１２，Ｃ５４  コンデンサ、Ｃ２４，Ｃ３４  平滑コンデンサ、Ｄ２３，Ｄ３２，Ｄ５３，Ｄ５５  整流素子、ＤＢ１１  ダイオードブリッジ、Ｌ３３  チョークコイル、ＰＣ３８  フォトカプラ、Ｑ２２，Ｑ３１  スイッチング素子、Ｒ３５  電流検出抵抗、Ｒ２５，Ｒ２６，Ｒ５１，Ｒ５２，Ｒ６１，Ｒ６２  分圧抵抗、Ｔ２１  トランス、Ｖ３６  基準電圧源、Ｚ６３，Ｚ６４  定電圧ダイオード。
【図１】
2011091900.tif 000019
【図２】
2011091900.tif 000020
【図３】
2011091900.tif 000021
【図４】
2011091900.tif 000022
【図５】
2011091900.tif 000023
【図６】
2011091900.tif 000024
【図７】
2011091900.tif 000025
【図８】
2011091900.tif 000026
【図９】
2011091900.tif 000027
【図１０】
2011091900.tif 000028
【図１１】
2011091900.tif 000029